(57)【要約】【課題】荷扱いを安定させ、梱包材料の破損を防止できる梱包装置を提供する。【解決手段】袋６などで保護された被梱包物５の上部に配される上緩衝材２、３と、トレイ状に形成された外箱１ｂからなり上緩衝材２、３に被せられる天板１と、被梱包物５が載置される下緩衝材１３と、トレイ状に形成された外箱からなり下緩衝材１３を収納する底板４とを備え、天板１と底板４の外側をバンド７で結束する梱包装置において、上緩衝材２の片側の両端に天板１の立ち上がり部１ａより飛び出した凸部８を設け、この凸部８を、梱包後のバンド７の位置と交差させると共に、バンド７の位置より天板１の角部９に向けて延設したもので、凸部８が、天板１より飛び出るため、手掛け部として作業者の目に着きやすく、持つ位置が容易に判断でき荷扱い時の作業にも統一性が図れ、また、手掛け部の強度も向上するため荷扱いも安定し、安全性が向上する。【選択図】図１
2010105679.tif 000002
【特許請求の範囲】
【請求項１】
袋などで保護された被梱包物の上部に配される上緩衝材と、前記上緩衝材に被せられる天板と、前記被梱包物が載置される下緩衝材と、前記下緩衝材を収納する底板とを備え、前記天板と前記底板の外側をバンドで結束する梱包装置において、前記上緩衝材の片側の両端に前記天板の立ち上がり部より飛び出した凸部を設け、この凸部を、梱包後の前記バンドの位置と交差させると共に、前記バンドの位置より前記天板の角部に向けて延設したことを特徴とする梱包装置。
【請求項２】
凸部の、バンド位置より天板の角部側の側面に、前記天板の板厚と略同等の高さで外側に飛び出した段差部を設けた請求項１に記載の梱包装置。
【請求項３】
上緩衝材を一対備え、被梱包物の重い側に配される一方の前記上緩衝材に凸部を設けた請求項１又は２に記載の梱包装置。
【発明の詳細な説明】
【技術分野】
【０００１】
本発明は、分離型空気調和機の室外機などの被梱包物を外力より保護する梱包装置に関するものである。
【背景技術】
【０００２】
従来のこの種の梱包装置として、図３に示すようなものがあった（例えば特許文献１及び２参照）。
【０００３】
図３において、分離型空気調和機の室外機などを被梱包物として梱包する従来の梱包装置は、被梱包物２０の上部左右に配置される上緩衝材２１と、被梱包物２０の下部左右に配置される下緩衝材２２を収納した底板２３と、上緩衝材２１に被せられる天板２４から構成され、袋（図示せず）で覆われた被梱包物２０を、底板２３内の下緩衝材２２に載せ、被梱包物２０の上部左右に上緩衝材２１を置き、その上緩衝材２２に天板２４を被せ、最後に天板２４と、底板２３をバンド２５で結束し梱包するようになっている。
【０００４】
そして、天板２４に挿入された上緩衝材２１の高さが、天板２４の立ち上がり部２４ａの高さと同一で、しかも、外周部は何処でも同一の形状となっているので、荷扱い時に、その部分を持つことが可能であった。
【特許文献１】特開平１１−１２４１７８号公報
【特許文献２】特開２００２−２５５２７６号公報
【発明の開示】
【発明が解決しようとする課題】
【０００５】
しかしながら、上記従来の梱包装置では、天板２４に挿入された上緩衝材２１が天板２４の立ち上がり部２４ａと同一の高さで、天板２４の外周部は何処も同一形状であり荷扱い時に持たれる可能性があるので、その部分に十分な強度を持たせる必要があるが、しかし、全ての部分に、持つための十分な強度を持たせることは容易ではなく、荷扱い時の事故や梱包材の不良の原因となっていた。
【０００６】
また、被梱包物である分離型空気調和機の室外機は、重心位置も、内蔵された圧縮機のため片方に寄っており、荷扱い時に持つ場所が不明確だと荷扱いが不安定になるため表示などで啓蒙する必要があるなど梱包強度や荷扱いに対する課題があった。
【０００７】
本発明は、このような従来の課題を解消するもので、梱包装置の荷扱い部を明確にすると共に、持つ時の手掛け部を明確にして手掛け部の強度を持たせることで荷扱いを安定させると共に梱包材の破損を防止する梱包装置を提供することを目的とする。
【課題を解決するための手段】
【０００８】
上記課題を解決するために、本発明の梱包装置は、袋などで保護された被梱包物の上部に配される上緩衝材と、前記上緩衝材に被せられる天板と、前記被梱包物が載置される下緩衝材と、前記下緩衝材を収納する底板とを備え、前記天板と前記底板の外側をバンドで結束する梱包装置において、前記上緩衝材の片側の両端に前記天板の立ち上がり部より飛び出した凸部を設け、この凸部を、梱包後の前記バンドの位置と交差させると共に、前記バンドの位置より前記天板の角部に向けて延設したもので、梱包装置の荷扱い時に手を掛ける手掛け部が形状的にも明確になり、天板より飛び出るため作業者の目に着きやすく持つ位置が容易に判断でき荷扱い時の作業にも統一性が図れる。また、手掛け部が飛び出ることで手掛け部も
大きくなり持ちやすく手掛け部自体の強度も向上するため荷扱いも安定し梱包材の破損も低減する。
【発明の効果】
【０００９】
本発明の梱包装置は、天板で覆われる上緩衝材の両端に、天板の立ち上がり部より飛び出した凸部を設けることにより、荷扱いの作業性が向上し梱包荷姿も安定し梱包材の破損も低減できる。
【発明を実施するための最良の形態】
【００１０】
第１の発明は、袋などで保護された被梱包物の上部に配される上緩衝材と、前記上緩衝材に被せられる天板と、前記被梱包物が載置される下緩衝材と、前記下緩衝材を収納する底板とを備え、前記天板と前記底板の外側をバンドで結束する梱包装置において、前記上緩衝材の片側の両端に前記天板の立ち上がり部より飛び出した凸部を設け、この凸部を、梱包後の前記バンドの位置と交差させると共に、前記バンドの位置より前記天板の角部に向けて延設したもので、梱包装置の荷扱い時に手を掛ける手掛け部が形状的にも明確になり、天板より飛び出るため作業者の目に着きやすく持つ位置が容易に判断でき荷扱い時の作業にも統一性が図れる。また、手掛け部が飛び出ることで手掛け部も大きくなり持ちやすく手掛け部自体の強度も向上するため荷扱いも安定し梱包材の破損も低減する。
【００１１】
第２の発明は、特に、第１の発明の凸部の、バンド位置より天板の角部側の側面に、前記天板の板厚と略同等の高さで外側に飛び出した段差部を設けたもので、荷扱い時にバンドを持ってもバンドが容易に外側に移動することが無くバンド外れなどによる事故が防止できる。
【００１２】
第３の発明は、特に、第１又は第２の発明の上緩衝材を一対備え、被梱包物の重い側に配される一方の前記上緩衝材に凸部を設けたもので、荷扱い時に、被梱包物が例えば空気調和機の室外機の場合、圧縮機が搭載された重い側の判断が容易になり、一人で荷扱いする時も、重たい側が分りやすく作業時の注意喚起が容易になり、作業性も向上する。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における梱包装置を示す分解斜視図である。
【００１５】
図１において、本実施の形態における梱包装置は、四辺を折り曲げ立ち上がり部とすることでトレイ状に形成した天板１の両端に、被梱包物５の上部を支持する上緩衝材２、３を挿入した天板１を設け、天板１と同じ構成でトレイ状に形成し、左右に一対の下緩衝材１３を挿入した底板４を設け、被梱包物５である分離型空気調和機の室外機を、底板４に挿入された下緩衝材１３に搭載し、被梱包物５に保護用の袋６を被せ、被梱包物５の上部に上緩衝材２、３を嵌め、前記天板１を上緩衝材２、３に被せ、バンド７で結束して梱包を完成させるようになっている。
【００１６】
本実施の形態では、天板１内に挿入した緩衝材２、３の内、被梱包物５の分離型空気調和機室外機の圧縮機（図示せず）が搭載された側１２、すなわち重い側に設けた緩衝材２の両端に、天板１の立ち上がり部１ａより飛び出した凸部８を設けている。この凸部８は、天板１を形成する外箱１ｂの角部９より結束用のバンド７と交差する位置まで連続して設けられている。
【００１７】
以上のように、本実施の形態においては、天板１に挿入した緩衝材２に、天板１より飛
び出した凸部８を設けることにより、梱包装置の手掛け部が形状的にも明確になり、持つ位置が容易に判断でき、荷扱い時の作業にも統一性が図れ、手掛け部の強度も向上することから荷扱い作業も安定し梱包装置や上緩衝材２の破損も低減する。
【００１８】
なお、図１に示すように、天板１内に設けた緩衝材２の凸部８を、被梱包物５の圧縮機が搭載された側１２に向くように形成すれば、荷扱い時に空気調和機の室外機の圧縮機側の判断がより一層容易になり、一人で荷扱いする時も重たい側が分りやすく作業時の注意喚起が容易に行え、作業性もさらに向上する。
【００１９】
（実施の形態２）
図２は、本発明の第２の実施の形態における梱包装置の要部断面斜視図である。なお、上記実施の形態１における梱包装置堵同一部分には、同一符号を付してその説明を省略する。
【００２０】
本実施の形態は、図２に示すように、天板１に設けられた緩衝材２の凸部８に、天板１を形成する外箱１ｂの外面１０と同等の高さの位置で、天板１の板厚と同等の高さで外側に飛び出した段差部１１を形成したものである。
【００２１】
この段差部１１は、梱包を結束するバンド７の結束位置より外箱１ｂの角部９側に設けられ、バンド７の結束位置には段差部１１を設けない構成とする。
【００２２】
以上のように、本実施の形態においては、荷扱い時にバンド７を持って荷扱いしてもバンド７が容易に外側に移動することが無くバンド外れなどによる事故を防止することができる。
【産業上の利用可能性】
【００２３】
以上のように、本発明にかかる梱包装置は、天板に挿入した上緩衝材に天板から飛び出した凸部を設けたもので、天板以外の部品でも同様の構造を形成することが可能である。
【図面の簡単な説明】
【００２４】
【図１】本発明の第１の実施の形態における梱包装置の分解斜視図
【図２】本発明の第２の実施の形態における梱包装置の要部断面斜視図
【図３】従来例を示す梱包装置の包装状態を示す分解斜視図
【符号の説明】
【００２５】
１  天板
１ａ  立ち上がり部
１ｂ  外箱
２、３  上緩衝材
４  底板
５  被梱包物
６  袋
７  バンド
８  凸部
９  角部
１０  外面
１１  段差部
１２  圧縮機が搭載された側
１３  下緩衝材
【図１】
2010105679.tif 000003
【図３】
2010105679.tif 000004
【図２】
2010105679.tif 000005